(57)【要約】【課題】電子キーを用いて電子印章をコンピュータシステムの文献の内容に挿入する方法の提供。【解決手段】電子キーはランダム変数を保存するメモリを具え、コンピュータシステムは保存装置と付加プログラムコードを具え、本発明の方法によると、電子キーをコンピュータシステムに挿入した後に、該付加プログラムコードを使用して電子印章の設定すると共に対応するランダム変数を発生し、さらにランダム変数を該コンピュータシステムの保存装置に保存し、且つ該ランダム変数を該メモリに保存し、該付加プログラムコードを使用し、該電子印章を該文献の内容中に挿入すると共に、該文献の属性を発生し、さらに該文献の属性を該文献の内容中に挿入する。【選択図】        図１
2004254113.tif 000002
【特許請求の範囲】
【請求項１】
電子キーを用いて電子印章をコンピュータシステムの文献の内容に挿入する方法において、第１の電子キーがランダム変数を保存するためのメモリを具え、該コンピュータシステムが保存装置と付加プログラムコードを具え、該方法が、
ａ．第１の電子キーを該コンピュータシステムに挿入した後、該付加プログラムコードを使用して該電子印章を設定し並びに対応するランダム変数を発生させ、さらに該ランダム変数を該コンピュータシステムの保存装置に保存し、且つ該ランダム変数を該第１の電子キーのメモリに保存するステップ、
ｂ．該付加プログラムコードを使用して該電子印章を該文献の内容中に挿入し、並びに該文献の属性を発生させ、さらに該文献の属性を該文献の内容中に挿入するステップ、
以上のステップを具えたことを特徴とする、電子キーを用いて電子印章をコンピュータシステムの文献の内容に挿入する方法。
【請求項２】
前記ランダム変数が電子印章の特徴及び乱数に基づき発生することを特徴とする、請求項１に記載の電子キーを用いて電子印章をコンピュータシステムの文献の内容に挿入する方法。
【請求項３】
前記ランダム変数により電子印章を修正し、前記保存装置に保存すると共に前記文献の内容に挿入された電子印章にランダム変数により発生した画像を具備させることを特徴とする、請求項１に記載の電子キーを用いて電子印章をコンピュータシステムの文献の内容に挿入する方法。
【請求項４】
前記ａのステップの前に、前記コンピュータシステムに入力された身分と暗唱コードに基づき身分検証プロセスを実行することにより電子キーの盗用を防止するステップを具えたことを特徴とする、請求項１に記載の電子キーを用いて電子印章をコンピュータシステムの文献の内容に挿入する方法。
【請求項５】
前記ｂのステップを実行した後、第１の電子キーをさらにコンピュータシステムに挿入し、前記保存装置中のランダム変数とメモリ内のランダム変数が符合するかを比較するステップを具えたことを特徴とする、請求項１に記載の電子キーを用いて電子印章をコンピュータシステムの文献の内容に挿入する方法。
【請求項６】
前記ｂのステップを実行した後、第１の電子キーをさらにコンピュータシステムに挿入し、並びに前記文献の属性を開いて該文献の状態を検視するステップを具えたことを特徴とする、請求項１に記載の電子キーを用いて電子印章をコンピュータシステムの文献の内容に挿入する方法。
【請求項７】
前記ｂのステップを実行した後、前記文献をロックして内容の改修を防止するステップを具えたことを特徴とする、請求項１に記載の電子キーを用いて電子印章をコンピュータシステムの文献の内容に挿入する方法。
【請求項８】
前記ｂのステップを実行した後、第２の電子キーを前記コンピュータシステムに挿入し、並びに第２の電子キーの権限をチェックして第２の電子キーが前記文献を開くことができるかを判断し、第２の電子キーが該文献を開く権限を有するならば、該文献に付加文献を挿入できることを特徴とする、請求項１に記載の電子キーを用いて電子印章をコンピュータシステムの文献の内容に挿入する方法。
【請求項９】
前記ｂのステップを実行した後、第１の電子キーが押しボタンを具え、該押しボタンが押圧される時に電子印章が前記文献の内容中に挿入されることを特徴とする、請求項１に記載の電子キーを用いて電子印章をコンピュータシステムの文献の内容に挿入する方法。
【請求項１０】
前記電子印章がコンピュータシステムのユーザーインタフェースを透過して前記文献の内容中に挿入されることを特徴とする、請求項１に記載の電子キーを用いて電子印章をコンピュータシステムの文献の内容に挿入する方法。
【請求項１１】
前記メモリがＥＥＰＲＯＭとされたことを特徴とする、請求項１に記載の電子キーを用いて電子印章をコンピュータシステムの文献の内容に挿入する方法。
【請求項１２】
前記第１の電子キーがＵＳＢを介してコンピュータシステムに連接されたことを特徴とする、請求項１に記載の電子キーを用いて電子印章をコンピュータシステムの文献の内容に挿入する方法。
【請求項１３】
前記第１の電子キーがＲＳ−２３２を介してコンピュータシステムに連接されたことを特徴とする、請求項１に記載の電子キーを用いて電子印章をコンピュータシステムの文献の内容に挿入する方法。
【発明の詳細な説明】
【０００１】
【発明の属する技術分野】
本発明は一種の電子キーを使用する方法に係り、特に、電子キーを用いて電子印章をコンピュータシステムの文献の内容に挿入する方法に関する。
【０００２】
【従来の技術】
人類相互のインタラクティブな行為が頻繁となるにつれ、商業契約、政府の公文書等文献の署名と認証はこれらの文献の往来と保存時の重要な一環となった。東洋社会では、自身の署名のほか、印章も不可欠の認証註記であり、認証を必要とする多くの文献にあって、印章は唯一の認証標準となっている。しかし模倣技術が精巧となるにつれ、専門家でも偽造された印章を肉眼で判別しにくくなっており、一般の市民にとってはさらに、伝統の印章は、使用上の問題を形成する。
【０００３】
近年、電子科学技術は大衆の生活に普及しており、多くの文献のやりとりがペーパーレスの電子文献とされ、これらの電子文献に印章が必要な時は、先に電子文献をプリントアウトし、さらに伝統の印章を押し、その後、更にスキャンして電子ファイルとしなければ受信者に伝送することができず、時間と金銭を浪費した。
【０００４】
このためいかに伝統的な印章の識別の難しさと電子文献に印章が必要な時の問題とを解決し、また、伝統的な印章と電子文献の長所を共に利用するかが問題とされている。
【０００５】
【発明が解決しようとする課題】
本発明は一種の電子キーを用いて電子印章をコンピュータシステムの文献の内容に挿入する方法を提供し、それは、使用者が文献上に個人の電子印章を挿入できるようにして、将来の文献身分認証の根拠となせるようにする方法である。
【０００６】
【課題を解決するための手段】
請求項１の発明は、電子キーを用いて電子印章をコンピュータシステムの文献の内容に挿入する方法において、第１の電子キーがランダム変数を保存するためのメモリを具え、該コンピュータシステムが保存装置と付加プログラムコードを具え、該方法が、
ａ．第１の電子キーを該コンピュータシステムに挿入した後、該付加プログラムコードを使用して該電子印章を設定し並びに対応するランダム変数を発生させ、さらに該ランダム変数を該コンピュータシステムの保存装置に保存し、且つ該ランダム変数を該第１の電子キーのメモリに保存するステップ、
ｂ．該付加プログラムコードを使用して該電子印章を該文献の内容中に挿入し、並びに該文献の属性を発生させ、さらに該文献の属性を該文献の内容中に挿入するステップ、
以上のステップを具えたことを特徴とする、電子キーを用いて電子印章をコンピュータシステムの文献の内容に挿入する方法としている。
請求項２の発明は、前記ランダム変数が電子印章の特徴及び乱数に基づき発生することを特徴とする、請求項１に記載の電子キーを用いて電子印章をコンピュータシステムの文献の内容に挿入する方法としている。
請求項３の発明は、前記ランダム変数により電子印章を修正し、前記保存装置に保存すると共に前記文献の内容に挿入された電子印章にランダム変数により発生した画像を具備させることを特徴とする、請求項１に記載の電子キーを用いて電子印章をコンピュータシステムの文献の内容に挿入する方法としている。
請求項４の発明は、前記ａのステップの前に、前記コンピュータシステムに入力された身分と暗唱コードに基づき身分検証プロセスを実行することにより電子キーの盗用を防止するステップを具えたことを特徴とする、請求項１に記載の電子キーを用いて電子印章をコンピュータシステムの文献の内容に挿入する方法としている。
請求項５の発明は、前記ｂのステップを実行した後、第１の電子キーをさらにコンピュータシステムに挿入し、前記保存装置中のランダム変数とメモリ内のランダム変数が符合するかを比較するステップを具えたことを特徴とする、請求項１に記載の電子キーを用いて電子印章をコンピュータシステムの文献の内容に挿入する方法としている。
請求項６の発明は、前記ｂのステップを実行した後、第１の電子キーをさらにコンピュータシステムに挿入し、並びに前記文献の属性を開いて該文献の状態を検視するステップを具えたことを特徴とする、請求項１に記載の電子キーを用いて電子印章をコンピュータシステムの文献の内容に挿入する方法としている。
請求項７の発明は、前記ｂのステップを実行した後、前記文献をロックして内容の改修を防止するステップを具えたことを特徴とする、請求項１に記載の電子キーを用いて電子印章をコンピュータシステムの文献の内容に挿入する方法としている。
請求項８の発明は、前記ｂのステップを実行した後、第２の電子キーを前記コンピュータシステムに挿入し、並びに第２の電子キーの権限をチェックして第２の電子キーが前記文献を開くことができるかを判断し、第２の電子キーが該文献を開く権限を有するならば、該文献に付加文献を挿入できることを特徴とする、請求項１に記載の電子キーを用いて電子印章をコンピュータシステムの文献の内容に挿入する方法としている。
請求項９の発明は、前記ｂのステップを実行した後、第１の電子キーが押しボタンを具え、該押しボタンが押圧される時に電子印章が前記文献の内容中に挿入されることを特徴とする、請求項１に記載の電子キーを用いて電子印章をコンピュータシステムの文献の内容に挿入する方法としている。
請求項１０の発明は、前記電子印章がコンピュータシステムのユーザーインタフェースを透過して前記文献の内容中に挿入されることを特徴とする、請求項１に記載の電子キーを用いて電子印章をコンピュータシステムの文献の内容に挿入する方法としている。
請求項１１の発明は、前記メモリがＥＥＰＲＯＭとされたことを特徴とする、請求項１に記載の電子キーを用いて電子印章をコンピュータシステムの文献の内容に挿入する方法としている。
請求項１２の発明は、前記第１の電子キーがＵＳＢを介してコンピュータシステムに連接されたことを特徴とする、請求項１に記載の電子キーを用いて電子印章をコンピュータシステムの文献の内容に挿入する方法としている。
請求項１３の発明は、前記第１の電子キーがＲＳ−２３２を介してコンピュータシステムに連接されたことを特徴とする、請求項１に記載の電子キーを用いて電子印章をコンピュータシステムの文献の内容に挿入する方法としている。
【０００７】
【発明の実施の形態】
本発明の電子キーを用いて電子印章をコンピュータシステムの文献の内容に挿入する方法によると、電子キーはランダム変数を保存するメモリを具え、コンピュータシステムは保存装置と付加プログラムコードを具えている。本発明の方法によると、電子キーをコンピュータシステムに挿入した後に、該付加プログラムコードを使用して電子印章の設定すると共に対応するランダム変数を発生し、さらにランダム変数を該コンピュータシステムの保存装置に保存し、且つ該ランダム変数を該メモリに保存し、該付加プログラムコードを使用し、該電子印章を該文献の内容中に挿入すると共に、該文献の属性を発生し、さらに該文献の属性を該文献の内容中に挿入する。
【０００８】
【実施例】
図１は本発明のコンピュータシステム１０の表示図である。コンピュータシステム１０は、ネットワークを透過して連接された、保存装置１２、複数のコンピュータ２０、３０を具えるほか、複数の携帯式の電子キー５０、６０を具えている。各コンピュータ２０、３０はプログラム及びデータを保存するためのメモリ２２、３２、入力ポート２４、３４、及びメモリ２２、３２に保存された付加プログラムコード２６、３６を具えている。各電子キー５０、６０はランダム変数５６、６６を保存するためのＥＥＰＲＯＭ５２、６２（ｅｌｅｃｔｒｉｃａｌｌｙ  ｅｒａｓａｂｌｅ  ｐｒｏｇｒａｍｍａｂｌｅ  ｒｅａｄ  ｏｎｌｙ  ｍｅｍｏｒｙ）と、プラグインの方式で入力ポート２４、３４に連接されるキーポート５４、６４を具えている。キーポート５４、６４はＵＳＢポート、ＲＳ−２３２ポート、或いはその他の周辺インタフェースとされる。
【０００９】
図２及び図３を参照されたい。使用者が電子キー５０のキーポート５４をコンピュータ２０の入力ポート２４に連接した後、コンピュータ２０は先ず使用者の入力した身分及び暗唱コードにより身分検証プロセスを実行して電子キー５０が盗用されるのを防止し、その後、付加プログラムコード２６がメモリ２２内に保存された使用者の姓名、肌色、字体、大きさ等の特徴により電子印章７０の画像を発生し、並びにこれらの特徴は０と１のビットで記録し、例えば、赤色字体であれば「００００」、青色字体ならば「０１１０」と記録する。その後、付加プログラムコード２６が乱数を発生して電子印章７０の特徴と組み合わせてランダム変数５６を発生し、並びにランダム変数５６を保存装置１２及び電子キー５０のＥＥＰＲＯＭ５２内に保存する。このほか、電子印章７０上にランダム変数５６、６６に基づき発生した画像７２を表示することもできる。この実施例では、画像７２は図３に示される長さが不一致のバーコードで組成される。
【００１０】
図４を参照されたい。図４は電子キー５０の表示図である。電子キー５０は押しボタン８０を具え、それが押圧される時に、電子印章７０がコンピュータ２０上の文献の内容中に挿入される。しかし電子印章７０は押しボタン８０により文献に挿入できるほか、コンピュータ２０のユーザーインタフェースを操作して挿入することもできる。電子キー５０は別に指示ランプ８２を具え、それは電子キー５０の状態に異常がある時にフラッシュして使用者に電子キー５０に対する特殊処理或いは修理を行うよう告知する。
【００１１】
使用者がコンピュータ２０上の文献に電子印章７０を挿入した後、使用者は該文献をロックして文献の内容が改修されるのを防止できる。最後に電子印章７０を挿入した文献内容及び該文献の属性を併せて保存装置１２に保存する。該文献の属性もまた付加プログラムコード２６より発生し、文献の属性は印章時間、印章の刻印文字、印章の位置、印章の角度、印章の使用者の身分、該文献の閉じられた時間、該文献が修正された時間等を含みうる。
【００１２】
使用者が該文献を閉じた後、使用者が更に該文献をチェックしたい時は、使用者は電子キー５０のキーポート５４を再度コンピュータ２０の入力ポート２４に挿入しなければならず、これによりコンピュータ２０が使用者の身分及び暗唱コードにより身分検証プロセスを行って電子キー５０が電子印章７０入力のキーであるかを確認する。電子キー５０が電子印章７０入力のキーであれば、コンピュータシステム１０は電子キー５０のＥＥＰＲＯＭ５２より取り出したランダム変数５６と保存装置１２に保存されたランダム変数５６を比較し、電子キー５０のＥＥＰＲＯＭ５２より取り出したランダム変数５６が保存装置１２に保存されたランダム変数５６に符合すれば、該文献を開くことを許可し、並びに使用者は該文献のロックを解除でき、該文献を修正するか或いは別の文献を付加する。電子キー５０のＥＥＰＲＯＭ５２より取り出したランダム変数５６が保存装置１２に保存されたランダム変数５６と符合しない場合は、この文献を開くことを許可せず、これにより機密文献が外部に漏洩するのを防止する。また別の実施例では、電子キー５０のＥＥＰＲＯＭ５２より取り出したランダム変数５６が保存装置１２に保存されたランダム変数５６と符合しない場合、使用者は該文献を開くことができるが、しかし使用者は該文献に対するロックを解除して修正することはできず、並びに使用者は該文献に対して別の文献を付加することはできない。
【００１３】
コンピュータ２０が身分検証プロセスを実行した後、コンピュータ２０が該電子キー５０が電子印章７０入力のキーではなく、別の電子キー６０であると確認した場合、コンピュータ２０は電子キー６０の権限を検査し、もし電子キー６０が文献開放の権限を有していれば、該文献を開くことが可能であり、並びに電子キー６０の使用者が別の文献を電子印章７０を有する文献に付加することが可能であり、且つこの付加文献中において、電子キー６０の使用者はもう一つの電子印章を挿入することにより該付加文献の使用者の身分を表示できる。このほか、コンピュータ２０及びコンピュータ３０はネットワークを透過して連接され、使用者はコンピュータ２０を経由して電子印章７０を具えた文献を新たにチェックできるほか、コンピュータ３０を透過して付加文献を増加でき、及び別の電子印章を挿入することができる。
【００１４】
保存装置１２は閉じられた文献の属性を保存し、使用者が新たに該文献を開く時は該文献の属性により該文献が開かれるか或いは修正される状態であるかを判断できる。このほか、電子印章７０はランダム変数５６に基づき発生した画像７２を具え、使用者はまた画像７２を検査することにより電子印章７０が違法に侵入されたかを判断できる。
【００１５】
【発明の効果】
本発明のコンピュータシステムは携帯式の電子キーのハードウエア及び付加プログラムコードのソフトウエアを利用し、電子印章を発生し、電子印章の検証作業を行うことができ、さらに、電子キーはコンピュータと容易に連接でき且つ携帯に便利な特性を有するため、使用者が電子キーを伝統的な印章の代わりに使用することができる。即ち電子キーが盗まれた場合、盗んだ者は電子キーの所有者の身分と暗唱コードを知らないため、盗んだ者は順調に身分検証のプロセスを通過することができず、このため盗んだ者は電子キーを使用できず、これにより電子キーが伝統的な印章よりも高い安全性を有するものとされる。このほか、電子キーはコンピュータに連接するだけで操作でき、使用者の手が伝統的な印章のように朱肉に汚れることがない。且つ電子印章の正確性はコンピュータにより確認でき、単純な肉眼による識別とは異なり、日進月歩の偽造技術に対して、電子キーは伝統的な印章のようには簡単に偽造できない。このため電子キーは安全に使用者の権益を保護することができる。
【００１６】
以上は本発明の実施例の説明であって、本発明の実施範囲を限定するものではなく、本発明に基づきなしうる細部の修飾或いは改変は、いずれも本発明の請求範囲に属するものとする。
【図面の簡単な説明】
【図１】本発明のコンピュータシステムの表示図である。
【図２】本発明の電子印章の表示図である。
【図３】本発明のランダム変数が発生した画像の表示図である。
【図４】図１の電子キーの表示図である。
【符号の説明】
１０  コンピュータシステム          １２  保存装置
２０、３０  コンピュータ            ２２、３２  メモリ
２４、３４  入力ポート              ２６、３６  付加プログラムコード
５０、６０  電子キー                ５６、６６  ランダム変数
５２、６２  ＥＥＰＲＯＭ            ７０  電子印章
７２  画像                          ８０  押しボタン
８２  指示ランプ
【図１】
2004254113.tif 000003
【図２】
2004254113.tif 000004
【図３】
2004254113.tif 000005
【図４】
2004254113.tif 000006